(57)【特許請求の範囲】
【請求項１】
１以上のラベルデータを記憶する記憶部と、
前記ラベルデータに基づいて通常ラベルを発行する通常ラベル発行部と、
前記通常ラベルの発行に伴い、前記通常ラベルのラベルデータを特定するためのコード画像を生成し、前記コード画像および前記通常ラベルのラベルイメージを含む見本ラベルを発行する見本ラベル発行部と、を備え、
前記通常ラベル発行部は、ユーザーの認証情報を取得した場合に、前記通常ラベルを発行し、
前記見本ラベル発行部は、前記認証情報および前記通常ラベルのラベルデータを特定するラベル特定情報を含んだコード画像を生成することを特徴とするラベル発行装置。
【請求項２】
前記見本ラベルに含まれたコード画像を読み取るコード画像読み取り部と、
読み取ったコード画像により前記通常ラベルのラベルデータを特定するラベルデータ特定部と、をさらに備えたことを特徴とする請求項１に記載のラベル発行装置。
【請求項３】
前記認証情報を入力するための認証情報入力画面と、前記認証情報の認証に伴い、前記通常ラベルの発行対象となるラベルデータを表示するラベルデータ表示画面と、を表示する表示部と、
前記表示部の表示制御を行う表示制御部と、をさらに備え、
前記表示制御部は、前記コード画像読み取り部によりコード画像を読み取った場合、前記認証情報入力画面の表示を省略し、前記ラベルデータ表示画面に前記ラベルデータ特定部により特定したラベルデータを前記表示部に表示させることを特徴とする請求項２に記載のラベル発行装置。
【請求項４】
前記ラベルデータ特定部により特定されたラベルデータに関連する関連ラベルデータを抽出する関連ラベルデータ抽出部をさらに備え、
前記表示制御部は、前記コード画像読み取り部によりコード画像を読み取った場合、前記ラベルデータ表示画面に前記関連ラベルデータを前記表示部に表示させることを特徴とする請求項３に記載のラベル発行装置。
【請求項５】
前記ラベルデータ表示画面に表示されたラベルデータについて、前記見本ラベルの発行を指示するための発行指示部をさらに備えたことを特徴とする請求項３または４に記載のラベル発行装置。
【請求項６】
１以上のラベルデータを記憶する記憶ステップと、
前記ラベルデータに基づいて通常ラベルを発行する通常ラベル発行ステップと、
前記通常ラベルの発行に伴い、前記通常ラベルのラベルデータを特定するためのコード画像を生成し、前記コード画像および前記通常ラベルのラベルイメージを含む見本ラベルを発行する見本ラベル発行ステップと、を備え、
前記通常ラベル発行ステップは、ユーザーの認証情報を取得した場合に、前記通常ラベルを発行し、
前記見本ラベル発行ステップは、前記認証情報および前記通常ラベルのラベルデータを特定するラベル特定情報を含んだコード画像を生成することを特徴とするラベル発行方法。
【請求項７】
前記見本ラベルに含まれたコード画像を読み取るコード画像読み取りステップと、
前記コード画像読み取りステップで読み取られたコード画像により前記通常ラベルのラベルデータを特定するラベルデータ特定ステップと、をさらに備えたことを特徴とする請求項６に記載のラベル発行方法。
【請求項８】
前記認証情報を入力するための認証情報入力画面と、前記認証情報の認証に伴い、前記通常ラベルの発行対象となるラベルデータを表示するラベルデータ表示画面と、を表示する表示ステップと、
前記表示ステップの表示制御を行う表示制御ステップと、をさらに備え、
前記表示制御ステップは、前記コード画像読み取りステップによりコード画像を読み取らえた場合、前記認証情報入力画面の表示を省略し、前記ラベルデータ表示画面に前記ラベルデータ特定ステップにより特定されたラベルデータを前記表示ステップにより表示させることを特徴とする請求項７に記載のラベル発行方法。
【請求項９】
前記ラベルデータ特定ステップにより特定されたラベルデータに関連する関連ラベルデータを抽出する関連ラベルデータ抽出ステップをさらに備え、
前記表示制御ステップは、前記コード画像読み取りステップによりコード画像を読み取られた場合、前記ラベルデータ表示画面に前記関連ラベルデータを前記表示ステップにより表示させることを特徴とする請求項８に記載のラベル発行方法。
【請求項１０】
前記ラベルデータ表示画面に表示されたラベルデータについて、前記見本ラベルの発行を指示するための発行指示ステップをさらに備えたことを特徴とする請求項８または９に記載のラベル発行方法。
【請求項１１】
コンピューターに、請求項６ないし１０のいずれかに記載のラベル発行方法の各ステップを実行させるためのプログラム。
【発明の詳細な説明】
【技術分野】
【０００１】
本発明は、ラベルを再発行可能なラベル発行装置、ラベル発行方法およびプログラムに関するものである。
【背景技術】
【０００２】
従来、入力された商品番号から商品の品名や価格などの商品データを呼び出し、呼び出した商品データを印字したラベルを発行するラベルプリンタにおいて、所定の商品データが紐付けられたプリセットキーを設定する技術が知られている（特許文献１参照）。当該ラベルプリンタは、上記のプリセットキーが押下されると、紐付けられた所定の商品データを印字したラベルを発行する。この構成によれば、ユーザーが商品番号を入力する手間が省けると共に、商品番号の誤入力を防ぎ、容易且つ適切にラベルを発行することができる。よって、頻繁に再発行するラベルについて利便性がよい。
【先行技術文献】
【特許文献】
【０００３】
【特許文献１】特開２０１０−１７３２４６号公報
【発明の概要】
【発明が解決しようとする課題】
【０００４】
しかし、上記の構成は、所定のラベル専用のキーを設ける必要があるため、装置にキーの物理的な設置場所を確保しなければならない。また、各キーに所定の商品データを紐付けたキーテーブルを作成し、装置に記憶させなければならない。そこで、すでに作成したラベルを容易に再発行する方法として、ラベルの一部として印刷された商品バーコードを読み取ることにより、当該ラベルを特定し、発行する方法が考えられる。この商品バーコードは、商品の商品コードや価格などを含み、商品の会計処理や検品処理に用いられるものである。このようにラベルの一部である商品バーコードを利用すれば、装置に専用キーを設けたりキーテーブルを記憶させたりする必要なく、容易に適切なラベルを再発行することができる。
【０００５】
しかし、上記の方法は、商品バーコードを含まないラベルには適用できず、商品バーコードを含まないラベルを再発行するためには、上記のようにラベル専用のキーを設けるか、商品番号の入力や既に作成したラベルデータの選択が必要となり、いずれも煩わしい操作を強いられる。
【０００６】
本発明は、上記の点に鑑み、コード画像（商品バーコード）を含まないラベルであっても、容易且つ適切に再発行することができるラベル発行装置、ラベル発行方法およびプログラムを提供することを目的とする。
【課題を解決するための手段】
【０００７】
本発明のラベル発行装置は、１以上のラベルデータを記憶する記憶部と、ラベルデータに基づいて通常ラベルを発行する通常ラベル発行部と、通常ラベルの発行に伴い、通常ラベルのラベルデータを特定するためのコード画像を生成し、コード画像および通常ラベルのラベルイメージを含む見本ラベルを発行する見本ラベル発行部と、を備え、通常ラベル発行部は、ユーザーの認証情報を取得した場合に、通常ラベルを発行し、見本ラベル発行部は、認証情報および通常ラベルのラベルデータを特定するラベル特定情報を含んだコード画像を生成することを特徴とする。
【０００８】
本発明のラベル発行方法は、１以上のラベルデータを記憶する記憶ステップと、ラベルデータに基づいて通常ラベルを発行する通常ラベル発行ステップと、通常ラベルの発行に伴い、通常ラベルのラベルデータを特定するためのコード画像を生成し、コード画像および通常ラベルのラベルイメージを含む見本ラベルを発行する見本ラベル発行ステップと、を備え、通常ラベル発行ステップは、ユーザーの認証情報を取得した場合に、通常ラベルを発行し、見本ラベル発行ステップは、認証情報および通常ラベルのラベルデータを特定するラベル特定情報を含んだコード画像を生成することを特徴とする。
【０００９】
本発明のプログラムは、コンピューターに、上記のラベル発行方法の各ステップを実行させることを特徴とする。
【００１０】
これらの構成によれば、コード画像を含まない通常ラベルのラベルデータであっても、当該ラベルデータを特定するコード画像を生成して見本ラベルに印刷するため、当該コード画像を読み取ることによって、ラベルデータに基づく通常ラベルを容易且つ適切に再発行することができる。また、見本ラベルに、通常ラベルのラベルイメージを印刷することによって、どの通常ラベルを再発行させるための見本ラベルであるかを提示することができる。
また、コード画像を読み取ることにより、通常ラベルの発行に必要なユーザーの認証情報を入力することができる。
【００１１】
この場合、見本ラベルに含まれたコード画像を読み取るコード画像読み取り部と、読み取ったコード画像により通常ラベルのラベルデータを特定するラベルデータ特定部と、をさらに備えていることが好ましい。
【００１２】
この構成によれば、１台の装置において、見本ラベルの発行および通常ラベルの再発行を行うことができる。
【００１５】
この場合、認証情報を入力するための認証情報入力画面と、認証情報の認証に伴い、通常ラベルの発行対象となるラベルデータを表示するラベルデータ表示画面と、を表示する表示部と、表示部の表示制御を行う表示制御部と、をさらに備え、表示制御部は、コード画像読み取り部によりコード画像を読み取った場合、認証情報入力画面の表示を省略し、ラベルデータ表示画面にラベルデータ特定部により特定したラベルデータを表示部に表示させることが好ましい。
【００１６】
この構成によれば、コード画像を読み取ることによって、表示部に所望のラベルデータを一発表示させることができる。よって、ユーザーは、認証情報の入力やラベルデータの選択などの操作を行わずに、容易に所望の通常ラベルを再発行することができる。
【００１７】
上記のラベル発行装置において、ラベルデータ特定部により特定されたラベルデータに関連する関連ラベルデータを抽出する関連ラベルデータ抽出部をさらに備え、表示制御部は、コード画像読み取り部によりコード画像を読み取った場合、ラベルデータ表示画面に関連ラベルデータを表示部に表示させることが好ましい。
【００１８】
この構成によれば、特定したラベルデータに関連するラベルデータを表示させることができる。また、表示された関連ラベルデータの中から所望のラベルデータを選択することにより、手持ちの見本ラベルに対応する通常ラベルに関連したラベルを容易に再発行することができる。なお、関連ラベルデータ抽出部は、特定したラベルデータの発行者（ユーザー）、発行日およびラベルデータの内容のうち、少なくとも１つに基づいて、関連ラベルデータを抽出することが好ましい。
【００１９】
上記のラベル発行装置において、ラベルデータ表示画面に表示されたラベルデータについて、見本ラベルの発行を指示するための発行指示部をさらに備えていることが好ましい。
【００２０】
この構成によれば、通常ラベルの発行対象となっているラベルデータについて見本ラベルを発行するか否かを選択することができる。
上記のラベル発行方法において、見本ラベルに含まれたコード画像を読み取るコード画像読み取りステップと、コード画像読み取りステップで読み取られたコード画像により通常ラベルのラベルデータを特定するラベルデータ特定ステップと、をさらに備えたことが好ましい。
この場合、認証情報を入力するための認証情報入力画面と、認証情報の認証に伴い、通常ラベルの発行対象となるラベルデータを表示するラベルデータ表示画面と、を表示する表示ステップと、表示ステップの表示制御を行う表示制御ステップと、をさらに備え、表示制御ステップは、コード画像読み取りステップによりコード画像を読み取らえた場合、認証情報入力画面の表示を省略し、ラベルデータ表示画面にラベルデータ特定ステップにより特定されたラベルデータを表示ステップにより表示させることが好ましい。
上記のラベル発行方法において、ラベルデータ特定ステップにより特定されたラベルデータに関連する関連ラベルデータを抽出する関連ラベルデータ抽出ステップをさらに備え、表示制御ステップは、コード画像読み取りステップによりコード画像を読み取られた場合、ラベルデータ表示画面に関連ラベルデータを表示ステップにより表示させることが好ましい。
上記のラベル発行方法において、ラベルデータ表示画面に表示されたラベルデータについて、見本ラベルの発行を指示するための発行指示ステップをさらに備えたことが好ましい。
【図面の簡単な説明】
【００２１】
【図１】本発明の一実施形態に係るラベル発行装置の模式外観図である。
【図２】ラベル発行装置の制御ブロック図である。
【図３】記憶部の記憶内容を示す図である。
【図４】ラベル発行装置の機能ブロック図である。
【図５】（ａ）は通常ラベルの一例を示す図であり、（ｂ）は見本ラベルの一例を示す図である。
【図６】ラベル発行時の画面遷移図である。
【図７】見本ラベルの発行処理を示すフローチャートである。
【図８】通常ラベルの簡易発行処理を示すフローチャートである。
【発明を実施するための形態】
【００２２】
以下、添付の図面を参照し、本発明の一実施形態にかかるラベル発行装置、ラベル発行方法およびプログラムについて説明する。以下に説明するラベル発行装置１は、商品に貼付する商品ラベル（以下、通常ラベルＬ１という）と、通常ラベルＬ１を発行させるために用いる見本ラベルＬ２と、の２種類のラベルを発行する。通常ラベルＬ１には、当該ラベルを貼付する商品に関する情報が印刷される。一方、見本ラベルＬ２には、発行する通常ラベルＬ１を特定するためのコード画像Ｃが印刷される（いずれも図５参照）。ラベル発行装置１は、利用者の画面操作にしたがって通常ラベルＬ１を発行する「標準発行」と、見本ラベルＬ２のコード画像Ｃを読み取ることによって通常ラベルＬ１を発行する「簡単発行」と、を行うことができる。
【００２３】
図１は、ラベル発行装置１の外観を模式的に示した図である。図示のように、ラベル発行装置１は、タッチパネルディスプレイ２、ラベル排出口３、およびバーコードスキャナ４を備え、内部には、プリント機構５および制御装置６（いずれも図２参照）を備えている。タッチパネルディスプレイ２は、ラベルを発行するための各種画面を表示する表示部として、また、各種操作を行うための操作部として、機能する（図６参照）。ラベル排出口３は、タッチパネルディスプレイ２の操作に応じて印刷された通常ラベルＬ１および見本ラベルＬ２を排出する。バーコードスキャナ４は、見本ラベルＬ２に印刷されたコード画像Ｃを読み取るために用いられる。
【００２４】
図２は、ラベル発行装置１の制御構成を示すブロック図である。図示のように、ラベル発行装置１は、プリント機構５、タッチパネルディスプレイ２、バーコードスキャナ４および制御装置６を備えている。プリント機構５は、印刷ヘッド、用紙搬送機構、用紙カット機構など、用紙に印刷を行いラベルを発行するための各構成を備えている（いずれも図示省略）。制御装置６は、プリント機構５の各構成を駆動させるドライバー群１１、通常ラベルＬ１の印刷データを記憶する記憶部１２、およびこれらを統括制御する制御部１３を備えている。制御部１３は、ドライバー群１１を介したプリント機構５の駆動制御や、タッチパネルディスプレイ２の表示制御（表示制御部）を行う。また、制御部１３は、バーコードスキャナ４により読み取ったコード画像Ｃを解析し、発行する通常ラベルＬ１の印刷データを特定する（後に詳述する）。
【００２５】
図３は、ラベル発行装置１の記憶部１２の記憶内容を示している。図示のように、記憶部１２は、各通常ラベルＬ１の印刷データを記憶し、さらに各印刷データに関連付けて、通常ラベルＬ１のラベルＩＤ、ラベル名、発行者名および利用者ＩＤを記憶している。印刷データには、通常ラベルＬ１に印刷される画像データやテキストデータ、また通常ラベルＬ１の印刷サイズなど（いずれも図示省略）が含まれている。通常ラベルＬ１は、この印刷データに基づいて発行される。なお、「ラベルデータ」とは、この印刷データをさす。一方、ラベルＩＤおよび利用者ＩＤは、印刷データ（通常ラベルＬ１）を特定するラベル特定情報であり、ラベル名および発行者名は、見本ラベルＬ２を発行する際に用いられる。
【００２６】
図４は、ラベル発行装置１の機能構成を示したブロック図である。図示のように、ラベル発行装置１は、認証情報入力部２１、利用者認証部２２、通常ラベル選択部２３、通常ラベル発行部２４、見本ラベル発行指示部２５、コード画像生成部２６、見本ラベル発行部２７、コード画像読み取り部２８、および通常ラベル特定部２９を備えている。
【００２７】
認証情報入力部２１は、ラベル発行装置１の利用を認証するための認証情報を入力する。本実施形態において、認証情報とは、ラベル発行装置１の各利用者（ユーザー）に割り当てられた利用者ＩＤおよび暗証番号をさす。すなわち、本ラベル発行装置１は、利用者ＩＤおよび暗証番号が割り当てられた利用者にのみ当該装置の利用を許可する。この認証情報入力部２１は、主にタッチパネルディスプレイ２に表示されるログイン画面Ｄ１（図６参照）により実現される。
【００２８】
利用者認証部２２は、認証情報入力部２１により入力された利用者ＩＤおよび暗証番号に基づいて、利用者認証を行う。また、利用者認証部２２は、後述のコード画像Ｃに含まれた利用者ＩＤに基づいても、利用者認証を行う。
【００２９】
通常ラベル選択部２３は、利用者認証部２２の利用者認証後、利用者の画面操作にしたがって、記憶部１２に記憶されている印刷データの中から発行する通常ラベルＬ１の印刷データを選択する。この通常ラベル選択部２３は、主にタッチパネルディスプレイ２に表示される選択候補表示画面Ｄ３（図６参照）により実現される。
【００３０】
通常ラベル発行部２４は、通常ラベル選択部２３により選択された印刷データに基づいて、通常ラベルＬ１を発行する。また、通常ラベル発行部２４は、後述の通常ラベル特定部２９により特定された印刷データに基づいても、通常ラベルＬ１を発行する。なお、通常ラベル発行部２４は、主に制御部１３およびプリント機構５によって実現される。
【００３１】
見本ラベル発行指示部２５は、通常ラベル選択部２３により選択された通常ラベルＬ１（印刷データ）について見本ラベルＬ２の発行指示を行う。この見本ラベル発行指示部２５は、主にタッチパネルディスプレイ２に表示される印刷指示画面Ｄ５（図６参照）により実現される。
【００３２】
コード画像生成部２６は、見本ラベルＬ２に印刷するコード画像Ｃを生成する。コード画像Ｃは、利用者認証のために用いられる利用者ＩＤおよび発行する通常ラベルＬ１の印刷データを特定するためのラベルＩＤが含まれる。なお、利用者ＩＤは、通常ラベルＬ１を発行しようとする利用者に対応するものである。
【００３３】
見本ラベル発行部２７は、通常ラベルＬ１の発行に伴い、見本ラベル発行指示部２５の発行指示にしたがって、見本ラベルＬ２を発行する。見本ラベル発行部２７は、上記のコード画像Ｃ、通常ラベルＬ１の印刷データに関連付けられたラベル名および発行者名、通常ラベルＬ１のラベルイメージを用いて見本ラベルデータを生成し、生成した見本ラベルデータに基づいて、見本ラベルＬ２を発行する。なお、通常ラベル発行部２４は、主に制御部１３およびプリント機構５によって実現される。また、「見本ラベル発行部」とは、コード画像生成部２６および見本ラベル発行部２７をさす。
【００３４】
コード画像読み取り部２８は、バーコードスキャナ４により実現され、見本ラベルＬ２に印刷されたコード画像Ｃを読み取る。
【００３５】
通常ラベル特定部２９（ラベルデータ特定部）は、読み取ったコード画像Ｃを解析し、コード画像Ｃに含まれるラベルＩＤおよび利用者ＩＤから発行する通常ラベルＬ１の印刷データを特定する。
【００３６】
ここで、図５を参照し、ラベル発行装置１が発行する通常ラベルＬ１および見本ラベルＬ２について説明する。同図（ａ）は、通常ラベルＬ１の一例である。図示のように、本実施形態の通常ラベルＬ１は、商品に貼付する商品ラベルであり、当該商品の商品名、イメージ図およびキャッチコピーが印刷されている。なお、通常ラベルＬ１は、商品の価格、賞味期限、原材料など、その他の情報が印刷されてもよい。
【００３７】
図５（ｂ）に示すのは、見本ラベルＬ２の一例である。見本ラベルＬ２は、同図（ａ）に示した通常ラベルＬ１を「簡単発行」させるために用いられるラベルである。図示のように、見本ラベルＬ２は、対応する通常ラベルＬ１のラベルイメージ３１、ラベル名３２、発行者名３３、コード画像Ｃが印刷される。コード画像Ｃには、前述したとおり、利用者ＩＤおよび通常ラベルＬ１のラベルＩＤが含まれている。なお、コード画像Ｃは、ラベル発行装置１のバーコードスキャナ４が読み取り可能なサイズで印刷される。また、見本ラベルＬ２は、通常ラベルＬ１の発行に伴い発行され、通常ラベルＬ１と同様の用紙に同一のサイズで印刷される。よって、必然的に見本ラベルＬ２に印刷される通常ラベルＬ１のラベルイメージ３１は、通常ラベルＬ１よりも縮小されて印刷される。なお、通常ラベルＬ１のサイズが小さく、対応する見本ラベルＬ２に、バーコードスキャナ４が読み取り可能なサイズのコード画像Ｃを印刷することができない場合、見本ラベルＬ２は、コード画像Ｃとそれ以外の部分（ラベルイメージ３１、ラベル名および発行者名）を分けて印刷することが好ましい。これによれば、コード画像Ｃが印刷できない小さいサイズの通常ラベルＬ１であっても、用紙を交換することなく、読み取り可能なサイズのコード画像Ｃを含んだ見本ラベルＬ２を発行することができる。一方、コード画像Ｃが印刷できない小さいサイズの通常ラベルＬ１において、利用者に用紙交換を促し、見本ラベルＬ２を１枚のラベルとして印刷する構成としてもよい。
【００３８】
次に、図６を参照し、タッチパネルディスプレイ２に表示される各種画面について説明する。同図は、通常ラベルＬ１の発行に伴う、タッチパネルディスプレイ２の画面遷移図である。先ず、通常ラベルＬ１の「標準発行」における画面遷移について説明する。最初に、タッチパネルディスプレイ２には、ログイン画面Ｄ１が表示される。ログイン画面Ｄ１には、利用者ＩＤおよび暗証番号を入力するためのテキストボックスおよびテンキーと、ログインボタンと、が表示される。利用者ＩＤおよび暗証番号が入力され、ログインボタンが押下されると、画面は、メインメニュー画面Ｄ２に移行する。
【００３９】
メインメニュー画面Ｄ２には、印刷メニューボタン、編集メニューボタン、新規作成ボタン、削除メニューボタン、印刷履歴ボタン、暗証番号変更ボタンが表示される。印刷メニューボタンは、記憶部１２に記憶されている任意の印刷データに基づいた通常ラベルＬ１を発行する画面に移行するためのボタンである。編集メニューボタンは、記憶部１２に記憶されている任意の印刷データを編集する画面に移行するためのボタンである。新規作成ボタンは、利用者が印刷データを新規作成する画面に移行するためのボタンである。削除メニューボタンは、記憶されている任意の印刷データを削除する画面に移行するためのボタンである。印刷履歴ボタンは、ラベルの印刷履歴を表示するためのボタンであり、暗証番号変更ボタンは、暗証番号を変更するためのボタンである。これらのボタンのうち、印刷メニューボタンが押下されると、画面は、選択候補表示画面Ｄ３に移行する。
【００４０】
選択候補表示画面Ｄ３は、記憶されている印刷データを選択候補４１として表示する。図６に示すように、選択候補表示画面Ｄ３は、画面左側に６つの選択候補４１を、画面右側に選択候補４１の表示順を選択するための表示順指定ボタン群を表示する。利用者は、選択候補４１の表示順を「最近印刷した順」および「印刷枚数順」のいずれかから選択することができる。また、図示のように、記憶されている印刷データが６つ以上である場合は、選択候補４１の下方にページ切り替えボタンが表示される。利用者は、表示される選択候補４１の中から所望の通常ラベルＬ１（選択候補４１）を選択する。選択候補４１として表示された通常ラベルＬ１のうち、任意の通常ラベルＬ１が選択されると、画面は、印刷ラベル表示画面Ｄ４に移行する。
【００４１】
印刷ラベル表示画面Ｄ４は、選択された印刷データのラベルイメージ３１と、印刷枚数を入力するためのテキストボックス、テンキーおよびＯＫボタンが表示される。印刷枚数が入力され、ＯＫボタンが押下されると、画面は、印刷指示画面Ｄ５に移行する。
【００４２】
印刷指示画面Ｄ５は、印刷する通常ラベルＬ１のラベルイメージ３１と、入力した印刷枚数と、印刷する通常ラベルＬ１と共に当該通常ラベルＬ１の見本ラベルＬ２を印刷するか否かを選択するチェックボックス４２と、印刷ボタンと、を表示する。そして、印刷ボタンが押下されると、選択された印刷データに基づく通常ラベルＬ１が、設定した枚数印刷される。なお、チェックボックス４２にチェックがされた状態で印刷ボタンが押下された場合は（見本ラベル発行指示部）、通常ラベルＬ１が設定した枚数分印刷された後、続けて見本ラベルＬ２が１枚発行される。見本ラベルＬ２は、通常ラベルＬ１の印刷枚数にかかわらず、１枚のみ印刷される。一方、チェックボックス４２にチェックがされていない場合は、見本ラベルＬ２は発行されず、通常ラベルＬ１のみ発行される。このように、チェックボックス４２のチェックの有無によって、発行する通常ラベルＬ１を次回以降に「簡単発行」させるための見本ラベルＬ２を発行するか否かを選択することができる。なお、見本ラベルＬ２を１枚発行した後、続けて通常ラベルＬ１を設定した枚数分印刷しても良い。
【００４３】
続いて、通常ラベルＬ１の「簡単発行」における画面遷移について説明する。図６に示すように、バーコードスキャナ４により、見本ラベルＬ２に印刷されたコード画像Ｃを読み取った場合、タッチパネルディスプレイ２には、暗証番号入力画面Ｄ０が表示される。暗証番号入力画面Ｄ０には、暗証番号を入力するためのテキストボックスおよびテンキーと、ログインボタンと、が表示される。暗証番号が入力され、ログインボタンが押下されると、画面は、コード画像Ｃに含まれたラベルＩＤに対応する印刷データ（通常ラベルＬ１）が選択された印刷ラベル表示画面Ｄ４に移行する。そして、印刷ボタンが押下されると、上記の「標準発行」と同様に、選択された印刷データに基づく通常ラベルＬ１が、設定した枚数印刷される。また、チェックボックス４２にチェックがされた状態で印刷ボタンが押下された場合は、通常ラベルＬ１と共に、見本ラベルＬ２が１枚印刷される。すなわち、この「簡単発行」においては、コード画像Ｃから利用者ＩＤが読み取られるため、ログイン画面Ｄ１ではなく暗証番号入力画面Ｄ０が表示される。また、コード画像Ｃに含まれたラベルＩＤから発行対象となる印刷データを特定するため、メインメニュー画面Ｄ２および選択候補表示画面Ｄ３の表示が省略される。これにより、利用者は、利用者ＩＤの入力や印刷データの選択を行わずに、見本ラベルＬ２を用いて容易に所望の通常ラベルＬ１を発行することができる。
【００４４】
なお、ログイン状態において、バーコードスキャナ４により、見本ラベルＬ２に印刷されたコード画像Ｃを読み取った場合、暗証番号入力画面Ｄ０の表示を省略してもよい。また、ログイン条件として暗証番号が必要でない場合は、バーコードスキャナ４により、見本ラベルＬ２に印刷されたコード画像Ｃを読み取った後、暗証番号入力画面Ｄ０は表示されず、印刷ラベル表示画面Ｄ４が表示される。
【００４５】
なお、「ラベルデータ表示画面」とは、選択候補表示画面Ｄ３および印刷ラベル表示画面Ｄ４をさす。
【００４６】
次に、図７のフローチャートを参照して、見本ラベルＬ２の発行処理について説明する。なお、説明を容易にするため見本ラベルＬ２の発行処理についてのみ説明するが、見本ラベルＬ２の発行処理は、実際には通常ラベルＬ１の発行処理に伴って実行される。先ず、ラベル発行装置１は、印刷指示画面Ｄ５のチェックボックス４２にチェックがされた状態で印刷ボタンが押下されると、見本ラベルＬ２の発行指示信号を受信し（Ｓ０１）、利用者の利用者ＩＤおよび選択された印刷データ（通常ラベルＬ１）のラベルＩＤを含むコード画像Ｃを生成する（Ｓ０２）。そして、生成したコード画像Ｃ、選択された印刷データに関連付けて記憶されているラベル名および発行者名、および通常ラベルＬ１のラベルイメージ３１から見本ラベルデータを生成する（Ｓ０３）。なお、通常ラベルＬ１のラベルイメージ３１は、通常ラベルＬ１の発行処理に伴って生成したものであり、見本ラベルデータ生成時において縮小処理をする。そして、生成した見本ラベルデータに基づいて、見本ラベルＬ２を発行する（Ｓ０４）。
【００４７】
次に、図８のフローチャートを参照して、通常ラベルＬ１の「簡単発行」における処理について説明する。先ず、ラベル発行装置１（通常ラベル発行部２４）は、バーコードスキャナ４により見本ラベルＬ２に印刷されたコード画像Ｃを読み取ると（Ｓ１１）、読み取ったコード画像Ｃを解析し、コード画像Ｃに含まれる利用者ＩＤと、暗証番号入力画面Ｄ０により入力された暗証番号と、に基づいて利用者認証を行う（Ｓ１２）。そして、コード画像Ｃに含まれるラベルＩＤから印刷データを特定する（Ｓ１３）。そして、特定した印刷データの印刷ラベル表示画面Ｄ４を表示する（Ｓ１４）。そして、印刷指示画面Ｄ５における印刷ボタンが押下されると、通常ラベルＬ１の発行指示信号を受信し（Ｓ１５）、特定した印刷データに基づいて通常ラベルＬ１を発行する（Ｓ１６）。
【００４８】
これまで説明してきた、ラベル発行装置１によれば、利用者の認証情報（利用者ＩＤ）と、通常ラベルＬ１の印刷データを特定するラベルＩＤが含まれたコード画像Ｃを印刷した見本ラベルＬ２を発行することにより、当該通常ラベルＬ１の次回以降の発行において、上記コード画像Ｃを読み取ることで、利用者が、認証情報の入力や印刷データの選択を行うことなく容易に所望の通常ラベルＬ１を発行させることができる。
【００４９】
なお、ラベル発行装置１は、コード画像Ｃを読み取った場合、特定した印刷データと同じカテゴリーに属する通常ラベルＬ１の印刷データを選択候補４１として表示しても良い。すなわち、コード画像Ｃを読み取った場合、コード画像Ｃにより特定した印刷データに関連する印刷データを抽出した選択候補表示画面Ｄ３を表示する構成としてもよい（関連ラベルデータ抽出部）。この場合、ラベル発行装置１は、各印刷データに関連付けて、当該印刷データが属するカテゴリーを示す情報を記憶しておく必要がある。なお、このカテゴリーは、通常ラベルＬ１を貼付する商品の種類や、通常ラベルＬ１の印刷日、発行者などによって分類することが好ましい。例えば、ラベル発行装置１が、カテゴリーとして商品の種類を記憶している場合、コード画像Ｃにより特定した印刷データが、「たまねぎ」に貼付する通常ラベルＬ１の印刷データであれば、選択候補表示画面Ｄ３には、「たまねぎ」に貼付する他の通常ラベルＬ１が選択候補として表示される。
【００５０】
この構成によれば、コード画像Ｃの読み取り後に表示された選択候補４１の中から所望の印刷データを選択することにより、手持ちの見本ラベルＬ２に対応する通常ラベルＬ１に関連した通常ラベルＬ１を容易に発行することができる。
【００５１】
また、上記の実施形態において、ラベルを発行するプリント機構５および制御装置６が一体となったラベル発行装置１を例示したが、プリント機構５および制御装置６は、別体の装置であってもよい。この場合、タッチパネルディスプレイ２およびバーコードスキャナ４は、制御装置６に接続されて構成される。
【００５２】
また、上記の実施形態において、見本ラベルＬ２に印刷されるコード画像Ｃをバーコードとして例示したが、２次元コードであってもよい。
【００５３】
なお、上記のラベル発行装置１の各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード、コンパクトディスク、光磁気ディスク、デジタルバーサタイルディスクおよびフレキシブルディスク等を利用することができる。
【００５４】
また、上述した実施例によらず、ラベル発行装置１の装置構成や処理工程等について、本発明の要旨を逸脱しない範囲で、適宜変更も可能である。
【符号の説明】
【００５５】
１：ラベル発行装置  ２：タッチパネルディスプレイ  ４：バーコードスキャナ  ５：プリント機構  ６：制御装置  １２：記憶部  １３：制御部  ２４：通常ラベル発行部  ２５：見本ラベル発行指示部  ２６：コード画像生成部  ２７：見本ラベル発行部  ２８：コード画像読み取り部  ２９：通常ラベル特定部  ３１：ラベルイメージ  Ｃ：コード画像  Ｄ３：選択候補表示画面  Ｄ４：印刷ラベル表示画面  Ｄ５：印刷指示画面  Ｌ１：通常ラベル  Ｌ２：見本ラベル
【図１】
0005803389.tif 000002
【図２】
0005803389.tif 000003
【図３】
0005803389.tif 000004
【図４】
0005803389.tif 000005
【図５】
0005803389.tif 000006
【図６】
0005803389.tif 000007
【図７】
0005803389.tif 000008
【図８】
0005803389.tif 000009